(57)【要約】      （修正有）【課題】釣りを行う際に操作性が良く、キャッチアンドリリースの際の魚へのダメージを減らすことができる手袋を提供する。【解決手段】各網目の形状を正六角形にすることで、正三角形・四角形と異なり、原料となるゴムを網の面積を最大にして利用できる。網の各網目の大きさは、釣人の掌と魚が接触して魚が火傷しないように、網目を通して魚と釣人の掌が接触しない程度の大きさである。手挿入口４はシートから構成されているため、手挿入口４の形状を保つことができ、さらに、ナイロン材から構成されているので、手を滑り入れ易く、手袋の装着を素早く容易に行うことができる。手袋が脱落してしまうのを防止するための脱落防止コード５を手挿入口４付近に具えている。この脱落防止コード５は、釣人の衣服、手等の一部に当該コードの端部を輪にして通す又は直接結びつける等して取り付けることで、手袋の不用意な脱落を防止することができる。【選択図】図１
0003142789.tif 000002
【実用新案登録請求の範囲】
【請求項１】
手袋の少なくとも掌面を網にすることを特徴とする釣用ネット手袋。
【請求項２】
請求項１に記載の釣用ネット手袋がミトン型であることを特徴とする釣用ネット手袋。
【請求項３】
請求項１又は２のいずれか１項に記載の釣用ネット手袋において、前記網の素材がゴムであることを特徴とする釣用ネット手袋。
【請求項４】
請求項１乃至３のいずれか１項に記載の釣用ネット手袋において、前記網が無結節であることを特徴とする釣用ネット手袋。
【請求項５】
請求項１乃至４のいずれか１項に記載の釣用ネット手袋において、前記網の各網目の形状が正六角形であることを特徴とする釣用ネット手袋。
【請求項６】
請求項１乃至５のいずれか１項に記載の釣用ネット手袋が、さらに脱落防止部材を具えることを特徴とする釣用ネット手袋。
【考案の詳細な説明】
【技術分野】
【０００１】
本考案は、釣具に関する。特に、キャッチアンドリリースを行うときに、魚のダメージを少なくするために釣人が使用する釣用手袋に関する。
【背景技術】
【０００２】
ルアーフィッシング、フライフィッシングなどのスポーツフィッシングでは、釣人は釣り上げた魚を丁寧に扱い、針を外した後に速やかに元の水の中へ戻す「キャッチアンドリリース」を行っている。キャッチアンドリリースは、水の中へ戻した魚がその後、生存し続けるように行うことに意義がある。魚の体温は低温なので、人が素手で触れると魚は火傷してしまい、また不用意に触ると鱗やヌメリがとれてしまう等の損傷を受けて、キャッチアンドリリース後に魚が生存し続けることができない。そこで、釣り上げた魚を素手で持つことなく、素早く元の水の中へ戻さなければならず、特に、これらの操作は水中で行うことがより好ましい。そのため、釣人は手袋を着用した状態でキャッチアンドリリースを行っている。手袋の形状は、５本指タイプや、フィンガーレスタイプ等がある（特許文献１乃至３）。
【０００３】
【特許文献１】特許第３０６００３０号公報
【特許文献２】特開２０００−１４２９７号公報
【特許文献３】特開２００８−４号公報
【考案の開示】
【考案が解決しようとする課題】
【０００４】
５本指タイプの手袋は、防寒性に優れているが、水に浸けた状態でキャッチアンドリリースを行うと手袋内部に水が入って溜まってしまい、継続して釣りを行うことができない。また、フィンガーレスタイプの手袋では、釣りを行う上で操作性は良いが、指先部分が露出しているため、魚が火傷してしまうおそれがある。
【課題を解決するための手段】
【０００５】
この課題を解決すべく、本考案にかかる釣用ネット手袋は、当該手袋の少なくとも掌面を網にすることを特徴とする。
【０００６】
さらに、当該釣用ネット手袋がミトン型でもよいことを特徴とする。
【０００７】
さらに、当該釣用ネット手袋において、網の素材がゴムでもよいことを特徴とする。また、当該網は無結節でもよく、当該網の各網目の形状は正六角形でもよいことを特徴とする。
【０００８】
さらに、当該釣用ネット手袋が、脱落防止部材を具えてもよいことを特徴とする。
【考案の効果】
【０００９】
本考案によれば、釣用ネット手袋の少なくとも掌面が網である。そのため、キャッチアンドリリースを行う際に、釣人が当該手袋を着用したまま、水中で魚を扱っても、手袋内に水が溜まることがないので、継続して釣りを行うことができる。さらに、網状であることから、伸縮性がよいので操作性がよくなり、魚を捕らえやすく、魚が傷つく可能性のある捕獲時間を短くできる。さらには、掌面が網状のシートのみから構成されているため、掌面の厚みが薄く、魚の感触が伝わりやすく、魚に過度の力をかけることがない。
【００１０】
また、当該考案の釣用ネット手袋をミトン型にすることで、手袋の着脱が容易になる。すなわち、素手で釣りを行っていても、魚を釣り上げた時に手袋を素早く、簡単に装着することができるので、不用意に魚を素手で扱う機会を減らすことができ、魚を傷つけることがない。
【００１１】
また、当該考案の釣用ネット手袋の網を、ゴム素材で構成することで、魚に優しいキャッチアンドリリースが可能になる。すなわち、ゴムは、断熱性に優れているので、魚に釣人の体温が伝わらず、魚が火傷することがない。また、ゴム素材で構成することで、滑らずに魚を捕らえることができ、魚が傷つく可能性のある捕獲時間を短縮できる。また、ゴムは防水性に優れているので、ぬめりや臭いが付きにくい。さらに、ゴムの網は無結節にすることができるので、結び目によって魚が傷つくことを防止できる。
【００１２】
さらに、当該考案の釣用ネット手袋に、脱落防止部材を具えることで、当該手袋の不用意な脱落を防止できる。すなわち、釣りの際に、常に身につけておくことができるので、手袋がないために素手で魚に障ってしまうという機会を減らし、適切なキャッチアンドリリースを促すことができる。
【考案を実施するための最良の形態】
【００１３】
本考案の実施の形態を、添付の図面を参照しながら以下に詳細に説明する。
【００１４】
図１は、本考案にかかる釣用ネット手袋の一の実施例を示す斜視図であり、図２は、当該実施例の釣用ネット手袋を左手に使用した状態を示している。図１に示すように、本実施例の釣用ネット手袋１は、掌面２、甲面３、手挿入口４、脱落防止コード５を具えている。本実施例は、掌面２、甲面３がゴム素材から構成されている網から成る。従って、キャッチアンドリリースの際に魚を水に戻すために、手袋を着用したまま手を水の中に入れても、手袋内に水が溜まることがないので、手袋の着脱を必要とせずに継続して釣りを行うことができる。掌面２は、網一枚のみから構成されているため、掴んだ魚の感触が伝わりやすく、魚を過度の力で握る必要がない。また、ゴム素材の網から構成されているため、伸縮性がよく、操作性がよい。さらに、摩擦効果が高く、別途滑り止め加工を行う必要がないので、手袋に余分な厚みを増す必要なく、魚の感触が伝わりやすく、魚に過度の力をかけることもない。また、手挿入口４はナイロン材のシート、脱落防止コード５は紐状のビニル材から構成されている。
【００１５】
図１に示すように、本実施例の各網目の形状は正六角形である。各網目の形状を正六角形にすることで、正三角形・四角形と異なり、原料となるゴムを網の面積を最大にして利用できる。網の各網目の大きさは、釣人の掌と魚が接触して魚が火傷しないように、網目を通して魚と釣人の掌が接触しない程度の大きさである。
【００１６】
本実施例では、手挿入口４はシートから構成されているため、手挿入口４の形状を保つことができ、さらに、ナイロン材から構成されているので、手を滑り入れ易く、手袋の装着を素早く容易に行うことができる。  
【００１７】
図１に示すように、手袋が脱落してしまうのを防止するための脱落防止コード５を手挿入口４付近に具えている。この脱落防止コード５はビニル材の紐から構成されており、釣人の衣服、手等の一部に当該コードの端部を輪にして通す又は直接結びつける等して取り付けることで、手袋の不用意な脱落を防止することができる。
【００１８】
なお、網の素材はゴムに限定されるものではない。しかし、魚のヌメリや臭いが付着しにくく落としやすいように網は、防水性の素材から構成されていることが好ましい。さらには、魚へ釣人の体温が伝わりにくいように、断熱性の高い素材から構成されていることが好ましい。
【００１９】
また、網の各網目の形状は限定されるものではなく、正三角形、四角形等であってもよい。
【００２０】
本考案にかかる手袋は、指袋の数をさまざまな数にすることができるが、ミトン型とすることが好ましい。ミトン型手袋にすることで、着脱を容易にすることができる。
【００２１】
本考案にかかる手袋は、少なくとも掌面２が網から構成されていればよく、甲面３及び手挿入口４は、防水加工された布シートや合成樹脂シート、ネオプレン（登録商標）ゴムなどから構成されてもよい。
【００２２】
脱落防止部材は、ビニル材の紐に限定されるものではなく、手袋の脱落を防ぐように構成されたものであればどのような形状であってもよい。紐は、綿などの天然繊維、ナイロンなどの合成繊維又はゴムなどの合成樹脂等から構成されてもよく、帯状、らせん状でもよい。さらに、伸縮性を有していてもよい。また、着脱を容易にするためクリップもしくはマジックテープ（登録商標）などの止め具を脱落防止部材の端部に具えて、釣人の一部に装着させてもよい。
【産業上の利用可能性】
【００２３】
本考案にかかる手袋は、釣具業界、特に釣用手袋業界で利用することができる。
【図面の簡単な説明】
【００２４】
【図１】図１は、本考案にかかる釣用手袋の一の実施例を示す斜視図である。
【図２】図２は、当該実施例の使用状態を示す。
【符号の説明】
【００２５】
１  釣用ネット手袋
２  掌面  
３  甲面  
４  手挿入口  
５  脱落防止コード  
【図１】
0003142789.tif 000003
【図２】
0003142789.tif 000004